(57)【要約】【課題】コンパクトに収納でき、取り扱い性に優れ、複数の容器であっても安定に保持運搬できるとともに、手近かにあるフックなどに容器を係止して保持しておくことのできる容器運搬具を提供する。【解決手段】円筒状容器Ｃがその底部側から容器装着部１２に挿入されて支持されるリング状やグリッド状、円筒状、円錐台状、平板状、トレイ状などに形成された容器支持部１１と、容器支持部１１の外周に突出して形成された左右一対の吊下げ紐係止部１３、１４と、を有するように容器運搬具を構成する。【選択図】  図１
0003172713.tif 000002
【実用新案登録請求の範囲】
【請求項１】
円筒状容器がその底部側から容器装着部に挿入されて支持されるリング状やグリッド状、円筒状、円錐台状、平板状、トレイ状などに形成された容器支持部と、前記容器支持部上の点対称の位置に形成された複数の吊下げ紐係止部と、を有することを特徴とする容器運搬具。
【請求項２】
前記吊下げ紐係止部が、前記容器支持部の外周に突出して形成されたものであることを特徴とする請求項１の容器運搬具。
【請求項３】
前記容器支持部が、前記容器装着部を複数穿設して形成される平板状であって、奇数個の容器装着部がその容器の配置数に応じてそれぞれ点対称位置に配置可能に配列されており、一対の吊下げ紐係止部が容器支持部の中心点を中心として、点対称の位置に設置されていることを特徴とする請求項１又は２記載の容器運搬具。
【請求項４】
容器が装着固定される前記容器装着部の周囲に前記容器からの流出液を貯留する液貯留部が設けられていることを特徴とする請求項１〜３のいずれか記載の容器運搬具。
【請求項５】
前記容器支持部及び前記吊下げ紐係止部が生分解性プラスチックを用いて一体に形成されていることを特徴とする請求項１〜４のいずれかに記載の容器運搬具。
【請求項６】
前記容器支持部が円筒状容器の底部を支持する底付円筒状であり、前記吊下げ紐係止部が前記容器支持部に保持される円筒状容器の重心位置より上方に設けられていることを特徴とする請求項１〜５のいずれかに記載の円筒状容器運搬具。
【考案の詳細な説明】
【技術分野】
【０００１】
本考案は、コーヒーやお茶、ジュース、ビールなどの液体飲料や、ラーメン、うどんなど液体を含む食品が入った紙製、合成樹脂製、陶器、ガラス製などの容器を保持して運搬するための容器運搬具に関する。
【背景技術】
【０００２】
公園や遊園地、会社内等において、自動販売機などで販売されるコーヒーやお茶、ビール、ジュース類等の飲料は、紙製又はプラスチック製で底部側の径が小さくなるようにテーパー形成された容器に入れて供給されることが多い。そして、このような液体飲料を満たした容器を、安定的に運搬するための容器運搬具に関連して、例えば以下のようなものが知られている。
【０００３】
特許文献１には、リング状のコップ保持部を吊下げ用の帯部の中間部に形成するとともに、前記帯部の両端に互いに嵌合する連結部を設けるようにした紙コップ等の吊下げ具が記載されている。
特許文献２には、容器を着脱可能に装着する装着孔を有する平板からなるホルダー本体を備え、該ホルダー本体の対向する辺に一対の連続部を突設するとともに、これら連続部の側縁にそれぞれ取っ手を設けるようにした紙製容器ホルダが記載されている。
特許文献３には、容器に装着した際に外側となる面が凹凸面、内側となる面が平滑面である帯状の紙の両端を重ねて接着するようにした紙製容器ホルダが記載されている。
【先行技術文献】
【特許文献】
【０００４】
【特許文献１】特開２００４−２６２４７号公報
【特許文献２】特開２００５−７４０８７号公報
【特許文献３】特開２００４−１０５６０３号公報
【考案の概要】
【考案が解決しようとする課題】
【０００５】
しかしながら、前記特許文献に記載の従来の技術のものは以下のような問題点があった。特許文献１に記載の紙コップ等の吊下げ具は、吊下げ用となる帯部をその容器保持部より長く形成する必要があり、全体が嵩ばるために不使用時における収納がコンパクトにできないという欠点があった。さらに、吊下げ具に複数の容器保持部を設けた場合には、帯部が容器の重みで撓んでしまい、容器をバランスよく保持できないという問題もあった。
【０００６】
特許文献２に記載の平板状のホルダー本体に容器装着孔を複数設けた紙製容器ホルダは、このホルダー本体の対向する辺に一対の連続部を突設して、これを取っ手とするものである。しかし、連続部とホルダー本体が一体に形成されているので、連続部をホルダー本体から引き起こしてホルダー本体との間に充分な間隔を確保することが困難であり、保持する容器に蓋を装着する際には障害となりやすいという欠点があった。また、これらの容器装着孔に容器を挿入保持する際に、取手部分となる連続部と容器を保持する部分が直結しており、手の振れが容器に伝わりやすく、容器の数によっては全体のバランスを保持することができず、不安定となって容器内の液体がこぼれやすいという問題点があった。
【０００７】
特許文献３に記載の紙製容器ホルダでは、その使用の都度、接着剤を用いて帯状の紙を接着する必要があって不便である上に、係止部が設けられていないために、手近かにあるフックや支持部材などに飲みかけの容器を係止して安定に保持しておくことができないという課題があった。
【０００８】
本考案は前記従来の課題を解決するためになされたもので、簡便に使用でき、ホルダー本体との間に充分な間隔を確保して取り扱い性に優れ、複数の容器であっても安定に保持でき、その携帯が容易にできるとともに、手近かにあるフックなどに容器を係止して保持しておくことのできる容器運搬具を提供することを目的とする。
【課題を解決するための手段】
【０００９】
（１）本考案の容器運搬具は、円筒状容器がその底部側から容器装着部に挿入されて支持されるリング状やグリッド状、円筒状、円錐台状、平板状、トレイ状などに形成された容器支持部と、前記容器支持部上の点対称の位置に形成された複数の吊下げ紐係止部と、を有することを特徴とする。
【００１０】
（２）本考案の容器運搬具は、前記（１）において、前記吊下げ紐係止部が、前記容器支持部の外周に突出して形成されたものであることを特徴とする。
【００１１】
（３）本考案の容器運搬具は、前記（１）又は（２）において、前記容器支持部が、前記容器装着部を複数穿設して形成される平板状であって、奇数個の容器装着部がその容器の配置数に応じてそれぞれ点対称位置に配置可能に配列されており、一対の吊下げ紐係止部が容器支持部の中心点を中心として、点対称の位置に設置されていることを特徴とする。
【００１２】
（４）本考案の容器運搬具は、前記（１）〜（３）のいずれかにおいて、容器が装着固定される前記容器装着部の周囲に前記容器からの流出液を貯留する液貯留部が設けられていることを特徴とする。
【００１３】
（５）本考案の容器運搬具は、前記（１）〜（４）のいずれかにおいて、前記容器支持部及び前記吊下げ紐係止部が生分解性プラスチックを用いて一体に形成されていることを特徴とする。
【００１４】
（６）請本考案の容器運搬具は、前記（１）〜（５）のいずれかにおいて、前記容器支持部が円筒状容器の底部を支持する底付円筒状であり、前記吊下げ紐係止部が前記容器支持部に保持される円筒状容器の重心位置より上方に設けられていることを特徴とする。
【考案の効果】
【００１５】
本考案によれば、円筒状容器がその底部側から容器装着部に挿入されて支持されるリング状やグリッド状、円筒状、円錐台状、平板状、トレイ状などに形成された容器支持部と、前記容器支持部上の点対称の位置に形成された複数の吊下げ紐係止部と、を有することを特徴とするので、吊下げ紐の両端を吊下げ紐係止部に係止させることによって、容器が保持された容器支持部を安定に支持することができる。
また、着脱可能で可撓性の吊下げ紐を用いるので全体を嵩ばらせることなくコンパクトに収納できるとともに、吊下げ紐と容器支持部との間に充分な作業用間隔を確保でき、取り扱い性に優れた容器運搬具を提供できる。
【図面の簡単な説明】
【００１６】
【図１】（ａ）は実施例１の容器運搬具の斜視図であり、（ｂ）は実施例１の容器運搬具を円筒状容器に取り付けた状態を示す斜視図である。
【図２】実施例２の容器運搬具の斜視図である。
【図３】実施例３の容器運搬具の斜視図である。
【図４】実施例４の容器運搬具の斜視図である。
【図５】実施例５の容器運搬具の斜視図である。
【図６】実施例５の容器運搬具の断面図である。
【図７】（ａ）実施例６の容器運搬具の平面図である。（ｂ）実施例６の容器運搬具の側面断面図である。
【図８】実施例７の容器運搬具の斜視図である。
【図９】実施例８の容器運搬具の斜視図である。
【図１０】実施例８の容器運搬具の断面図である。
【図１１】容器支持部１１の形状を容器Ｃの開口部下方を鉢巻きのように巻回すようにした例を示す側面図である。
【図１２】容器支持部１１の形状を容器Ｃの開口部上方を鉢巻きのように巻回すようにした例を示す（ａ）斜視図、（ｂ）使用例説明図である。
【図１３】吊下げ紐の形状を手持ち部分にリングを形成させた例を示す概略説明図である。
【考案を実施するための形態】
【００１７】
本実施形態の容器運搬具は、円筒状容器がその底部側から容器装着部に挿入されて支持されるリング状やグリッド状、円筒状、円錐台状、平板状、トレイ状などに形成された容器支持部と、前記容器支持部上の点対称の位置に形成された複数の吊下げ紐係止部と、を有して構成されている。これによって、容器運搬具をコンパクトに収納できる上に、吊下げ紐と容器支持部との間に充分な間隔を確保して取り扱い性に優れたものとしている。
また、トレイ状の容器支持部の場合は、複数の容器を保持して、容器の携帯運搬が容易にできるとともに、吊下げ紐係止部に係止した吊下げ紐を手近かにあるフックなどにかけて保持しておくこともでき、その利便性に優れている。
【００１８】
容器運搬具は、例えば、木質材やプラスチック、金属などで製造され、ジュースやミルクなどの飲料で満たされた逆円錐台状や円柱状の紙容器や、合成樹脂製容器、ガラス製容器などを単数もしくは複数個を保持することができる。
容器運搬具の素材となる木質材としては、紙パルプを素材とする段ボールなどの厚紙や再生紙が、プラスチックとしてはポリエチレンやポリカーボネイト、ポリエチレンテレフタレート、ポリスチレンなどの硬質合成樹脂が、また、金属としては、アルミやアルミ合金、スチールなどのものが適用できる。
また、容器運搬具の素材には、再生紙などの厚紙を使用することでその都度使い捨てるようにしたり、あるいは耐久性のあるプラスチックや金属などの素材を繰り返し使用したりすることが可能である。こうして、資源を大切にするというエコロジーの精神にも配慮したものとすることができる。
【００１９】
容器運搬具は例えば、紙コップに注がれたコーヒーなどの飲料の「テイクアウト」業務用や、コーヒー供給機／自動販売機からデスクへ容器を運搬したり会議や接客時に飲み物を運んだりするためのオフィス用、子どもが台所から子ども部屋へ飲み物を運ぶ玩具やトレイなどの家庭用、キャンプやガーデンパーティーなどで複数の飲み物を運ぶ場合の野外用、医療機関で検査用溶液などを運ぶための医療用などとして広く適用することができる。
【００２０】
容器支持部は、容器の上方側部を嵌合して保持する容器装着部が設けられたリング状やグリッド状、円筒状、円錐台状、平板状、トレイ状、或いは容器支持部の底部で容器を支持する底部分を有する筒状などの部材である。容器支持部の容器装着部における容器を支える部分の形状は、例えば正方形、正六角形、正八角形などの非円形としても良い。なお、円形とした場合でも、円形部分全体で容器を支えなくとも、３箇所以上の支点があれば、容器を保持する機能を維持することはできる。
【００２１】
吊下げ紐係止部は、容器支持部の左右外周にそれぞれ突出して形成された、或いは容器支持部上の点対称の位置に形成されたリング状やフック状の部分であり、容器支持部を吊下げた状態で保持するための吊下げ紐の両端が係止されるようになっている。このような持ち手部分となる吊下げ紐は、例えば、紐、鎖、細い金属（逆Ｖ字型、逆Ｕ字型などで中央部分が明確にわかるもの）などとするのが良い。 また、デザイン上は、重心と強度を考慮した上で、逆Ｊの字型の金属を用いることも可能である。
【００２２】
本実施の形態の容器運搬具は、前記容器支持部が、前記容器装着部を複数穿設して形成される平板状であって、奇数個の容器装着部がその容器の配置数に応じてそれぞれ点対称位置に配置可能に配列されていることにも特徴を有している。これによって、容器支持部の左右、或いは容器支持部上の点対称の位置に配置された吊下げ紐係止部を用いて、Ｎ個の容器装着部が形成された容器支持部に１〜Ｎ個の容器をそれぞれバランスよく保持することができる。容器装着部の配置数Ｎは少なくとも奇数として設定することが必要であり、容器装着部の配置が全体として「点対称」となるように配列して、容器装着部に入れられる容器が１〜Ｎ個の場合の全てについてそれぞれ安定配置することが可能となる。
【００２３】
例えば、正方形の各４頂点の位置に容器装着部を配置した場合、安定に保持できる容器の個数は２個と４個の場合に限定され、これ以外の場合（１個、３個）では、全体のバランスを保持することができず、中の液体がこぼれ易い。これに対し、本実施の形態の容器運搬具では、例えば正方形の４頂点の他、その中心位置にも容器装着部を設定して、その配置数を奇数の５とすることで、容器の数が１〜５個のすべての場合について容器を装着する容器装着部を選択して安定配置することができるようにしている。こうして奇数であるＮ個の容器装着部を点対称位置に配置することで１〜Ｎ個の容器をバランスよく保持できる。
【００２４】
本実施の形態の容器運搬具は、前記容器支持部の容器が装着固定される容器装着部の周囲に前記容器からの流出液を貯留する液貯留部が設けられていることにも特徴を有している。これによって、容器内の液体がこぼれた場合でも、これらの液貯留部が受け皿となって、容器の側面、容器の底面、床や運搬人の服などを汚すことがなく、安全性や清潔性を維持することができる。
液貯留部は、容器装着部が一箇所の場合は容器を直接支持する容器装着部の周囲を周回するように「Ｕ字型」、「凹型」、或いは「Ｖ字型」などの窪み状に形成して、容器の周縁からこぼれでた液体を溜めるようにした部分である。また、液貯留部は、容器装着部が複数ある場合は、高さを有する筒型の形状とした容器支持部と、高さを有する板状に容器運搬具を囲うように形成された容器運搬具の外周部により、容器の周縁からこぼれでた液体を溜めるようにした部分である。
【００２５】
本実施の形態の容器運搬具は、前記容器支持部及び前記吊下げ紐係止部が生分解性プラスチックを用いて一体に形成されていることにも特徴を有している。これによって、廃棄されたときに土中などの微生物により水と二酸化炭素に分解され、有害物で周囲の環境が汚染されることがなく、環境保護性に優れた容器運搬具を提供できる。
ここで、生分解性プラスチックとしては、例えば、（ａ）微生物が作り出すヒドロキシ酪酸とヒドロキシ吉草酸を共重合体として材料化したような微生物産生系生分解性プラスチック、（ｂ）澱粉、キトサン、セルロース、タンパク質などの天然高分子系生分解性プラスチック、（ｃ）ポリカプロラクトン等の合成原料を用いた化学合成系生分解性プラスチック及び、（ｄ）ポリエチレン等の汎用プラスチックとでんぷん等を混合した混合系プラスチック等が適用できる。
【００２６】
本実施の形態の容器運搬具は、前記容器支持部が円筒状容器の底部を支持する底付円筒状であり、前記吊下げ紐係止部が前記容器支持部に保持される円筒状容器の重心位置より上方に設けられていることに特徴を有している。これによって、円筒状容器から内容物が漏れて容器外壁に付着してもこれが滴下することがなく、清潔性を維持できるとともに、吊下げ紐係止部に紐を取り付けて把持したときの安定性をさらに向上させることができ、使い勝手のよい運搬具を提供できる。
【実施例】
【００２７】
＜実施例１＞
図１（ａ）は実施例１の容器運搬具の斜視図であり、（ｂ）は実施例１の容器運搬具を円筒状容器に取り付けた状態を示す斜視図である。図１において、１０は実施例１の容器運搬具であり、円筒状容器Ｃがその底部側から円形状の容器装着部１２に挿入されて支持されるリング状に形成された容器支持部１１と、容器支持部１１の外周に突出して形成され吊下げ紐１５の両端が係止される左右一対の吊下げ紐係止部１３、１４を有する。
【００２８】
吊下げ紐係止部１３、１４及び容器支持部１１が一体に形成される容器運搬具１０は、ポリスチレン樹脂やポリエチレンテレフタレート樹脂など素材として、これを射出成形して成形することができる。リング状の容器支持部１１は、その内側に容器Ｃが嵌合され、容器Ｃの外径より少し小さい内径を有した円形状の容器装着部１２を備えている。なお、容器支持部１１は、そのリング断面が円形状となるようにしたり、あるいは容器Ｃとの接触面が大きくなるようにしたりして、その円形断面の一部を切り欠いたように形成することもできる。
【００２９】
吊下げ紐１５の両端は、吊下げ紐係止部１３、１４に着脱自在もしくは固定して取り付けられる。吊下げ紐１５はその断面が偏平状、丸状のものや、鎖状などのものが適用でき、紙や繊維、金属網などを用いた可撓性の材質で構成される。
吊下げ紐１５の長さは例えば、容器Ｃの最大径が約７ｃｍの場合で、１０ｃｍ〜３０ｃｍの範囲で固定もしくは調節できるようにすることが好ましい。これは、吊下げ紐１５の長さが１０ｃｍより短くなると、容器支持部１１と吊下げ紐１５との間に手を入れたり、容器Ｃに蓋をかぶせたりする際のスペースを確保することが困難となり、逆に３０ｃｍを超えると紐の部分が絡んだりしてハンドリング性などが悪くなるからである。
【００３０】
実施例１の容器運搬具１０は、以上のように構成されているので、テーブルなどの紙コップを置く場所がない状況においても、容器Ｃを手近くにある突起やフックなどに吊下げ紐１５を掛けたり、手で持ったりして運搬又は保持することができる。また、容器運搬具１０の材質には伸縮性がなく硬質で高強度の材料が適用でき、ビニールやポリエチレンなどを用いる場合のように飲料入り容器の自重や熱によって変形して容器Ｃが容器装着部１２から脱落したりする恐れがなく、安定に容器Ｃを保持できる。こうして、容器運搬具１０では、紙コップなどの容器の運搬を容易なものとできるとともに、耐久性のある素材を使用して、繰り返し使用することが可能である。
【００３１】
＜実施例２＞
図２は実施例２の容器運搬具の斜視図である。図２において、２０は実施例２の容器運搬具であり、容器Ｃがその底部側から容器装着部２２に挿入されて支持されるグリッド状に形成された容器支持部２１と、容器支持部２１の外周に突出して形成された左右一対の吊下げ紐係止部２３、２４を有する。
【００３２】
容器支持部２１は図示するように、プラスチックや金属を骨格材２５として空間２６を有したグリッド状に形成され、これによって、軽量でありながら所定の耐久性と強度が維持できるようにして原料コストを安価なものとすることができる。
吊下げ紐係止部２３、２４は、容器を支持する容器装着部２２より下方に配置され、円筒状をなす容器支持部２１の円周面からそれぞれ０．５ｃｍ〜５ｃｍの長さで側方へ突出するように形成されている。これによって、吊下げ紐を把持したままでも、吊下げ紐に干渉することなく容器に蓋を容易に着脱できる。
【００３３】
実施例２の容器運搬具２０は、以上のように構成されているので、実施例１の作用に加えて、その経済性やデザイン性に優れるとともに、容器を保持させた際の使用勝手をさらに高めることができる。
【００３４】
＜実施例３＞
図３は実施例３の容器運搬具の斜視図である。図３において、３０は実施例３の容器運搬具であり、円形状の容器装着部３２を有した容器支持部３１と、容器装着部３２の円周囲にＵ字溝状に設けられた液貯留部３３と、容器支持部３１の外周に突出して形成された左右一対の吊下げ紐係止部３４、３５とを有する。
容器支持部３１はプラスチックや金属を素材として形成され、その円形状の容器装着部３２の周囲にＵ字型や凹型、Ｖ字型などに形成された液貯留部３３を備えている。
【００３５】
実施例３の容器運搬具３０は以上のように構成されているので実施例１の作用に加えて、容器を保持した容器運搬具３０が多少揺れても、容器からこぼれでた液体を液貯留部３３に受けることができる。従って、これらの部分が受け皿となって、容器運搬具３０を用いて容器を運搬する際に、容器からこぼれでた液体で容器の側面、容器の底面、床や運搬人の服などが汚されることがなく、清潔性を保つことができる。
【００３６】
＜実施例４＞
図４は実施例４の容器運搬具の斜視図である。図４において、４０は実施例４の容器運搬具であり、円形状の容器装着部４２をその中心上部に有して円筒状や円錐台状に形成された容器支持部４１と、容器支持部４１の外周に形成された一対の吊下げ紐係止部４３、４４を有する。
容器支持部４１は例えば、波型の補強リブを有した段ボール板などを素材として形成され、その円筒形状又は円錐台形状の高さＨが装着される容器の深さＤよりも長くなるように設定されている。装着される容器は容器支持部４１の上部の容器装着部４２で支持され、容器の底部は容器支持部４１の底面より上部に位置するようになっている。
４５は、容器の容器運搬具４０からの着脱を容易にするために容器支持部４１に形成された切れ込み部分である。
【００３７】
こうして、その吊下げ紐係止部４３、４４に係止された吊下げ紐などを掴んで容器運搬具４０を移動させ、容器支持部４１の底面を野外のグラウンド上などに接地させることで、そのまま安定に容器運搬具４０を置いておくことができる。この場合、容器支持部４１を接地面積が大きく取れる円錐台状とすることで円筒状のものよりも安定度をさらに高めることができる。
【００３８】
実施例４の容器運搬具４０は以上のように構成されているので実施例１の作用に加えて、容器の載置具としての機能も備えているので、容器を保持したまま容器運搬具４０をいつでも机上やグラウンド上などに安定に載置することができ、その活用の場を拡大することができる。
【００３９】
＜実施例５＞
図５は実施例５の容器運搬具の斜視図である。図５において、５０は実施例５の容器運搬具であり、５個の容器装着部５２〜５６が点対称位置に配置された四角トレイ状の容器支持部５１と、容器支持部５１の外周の対称軸上に形成された左右一対の吊下げ紐係止部５７、５８を有する。
容器支持部５１は５個の容器装着部５２〜５６が形成された箱型の四角トレイ状であって、容器装着部５２〜５６はこのトレイ内の四角形各４頂点位置とその中心位置とにそれぞれ配置されている。これによって、載置される容器の配置数が１〜５のいずれであってもその配置数に応じてそれぞれ点対称位置に容器が配置できるようにしている。
【００４０】
ここで図６（ａ）は容器の数が１個の場合であって、その中心に位置する容器装着部５２に容器Ｃが配置された例を示している。また、図６（ｂ）は２個の容器Ｃを対角線上に位置する容器装着部５４、５６などにそれぞれ配置した例を示している。容器Ｃが３個の場合は、中心位置を含む対角線上、例えば容器装着部５２、５４、５６に配置する。また、容器Ｃが４個の場合は、四角形の各４頂点となる容器装着部５３、５４、５５、５６に配置する。さらに容器Ｃが５個の場合は、対称配置された５個の容器装着部５２〜５６全てに容器Ｃを配置することができる。
【００４１】
また５９は容器支持部５１の周囲を囲む淵部分である。容器装着部５２〜５６が円筒状に形成されているため、容器から液体がこぼれた場合でも、こぼれた液体が容器装着部５２〜５６や運搬用具５０の周囲から容器運搬具５０の外へ漏出することがない。
なお、このように複数の容器を保持する容器運搬具の場合には、砂糖やクリームなどの添加物を保持するパッケージやスプーンなどを載置するための載置部を、容器支持部の中心に位置する容器装着部の周辺に設けることができる。この場合、全体のバランスを崩すことなく、運搬具としての利便性をさらに高めることができる。
【００４２】
実施例５の容器運搬具５０は、以上のように構成されているので、容器支持部５１の左右に配置された吊下げ紐係止部５７、５８を用いて、５個の容器装着部５２〜５６が形成された容器支持部５１に１〜５個の容器をそれぞれバランスよく保持することができる。
また、従来、トレイなどの運搬具に飲料などの液体の入った容器を載せ、両手でトレイを水平に維持するために相当の注意を払いながら容器を運搬していたが、本実施例の容器運搬具５０では吊下げ紐係止部５７、５８に係止された吊下げ紐を片手で把持してその内容物を容器からこぼすことなく安定に扱うことができ、従来よりも容易に複数の容器を迅速に運搬できる。
【００４３】
＜実施例６＞
図７（ａ）は実施例６の容器運搬具の平面図であり、図７（ｂ）は容器及びクリームなどが載置された容器運搬具の側面断面図である。図７において、６０は実施例６の容器運搬具であり、容器支持部６１の外周の対称軸上に形成され吊下げ紐６７の両端が係止される左右一対の吊下げ紐係止部６２、６３と、吊下げ紐係止部６２、６３を結ぶ線上の左右内側にそれぞれ配置されたクリームや砂糖などの添加物を保持しておくための添加物載置部６４、６５を有する。
【００４４】
容器支持部６１には、その中心に円形状にくり抜かれるように「底抜き」に形成された容器装着部６６が設けられ、この容器装着部６６にコーヒーや紅茶などの飲料が入れられた容器Ｃが載置されている。蓋Ｆが被せられた容器Ｃは紙製であって、容器Ｃに添加するためのクリームや砂糖が入れられたスティック状などのパッケージＰが添加物載置部６４、６５に載置できるようになっている。
【００４５】
添加物載置部６４、６５は、砂糖やクリームなどのスティック状などのパッケージやスプーンなどを入れるために窪み状に形成された部分であって、その形は「半円」、「半楕円」、「四角形」などの底付きに形成されている。添加物載置部６４、６５は、クリームや砂糖を置いたときのバランスを維持するために容器に紐を取り付けるための左右の吊下げ紐係止部６２、６３を結んだ線上に設ける必要がある。なお、「スティック状の粉クリーム」ではなく、液体のクリーム（低い円柱形のような容器に入っているもの）の場合は、添加物載置部６４、６５のうちの一つの形状を「間口を広げ、底を浅くする」ことで対応することができる。
また、「砂糖だけの場合」、「クリームだけの場合」、或いは、「砂糖とクリームで重さが違う場合」などは、
・図７（ａ）における上下方向については吊下げ紐係止部６２、６３を結ぶ線上に添加物載置部６４、６５があるため構造上バランスを容易に取ることができる。
また、
・図７（ａ）における左右方向のバランスは、吊下げ紐６７の手で持つ部分を調整することで、容易にこれを保つことができる。
【００４６】
＜実施例７＞
図８は実施例７の容器運搬具の斜視図である。図８において、７０は実施例７の容器運搬具であり、５個の容器装着部７２〜７６が点対称状に配置されその全体が四角トレイ状の容器支持部７１と、容器支持部７１の外周に複数形成された４箇所の吊下げ紐係止部７７、７７ａ及び７８、７８ａを有する。
図８（ａ）に示すように、吊下げ紐７９は、それぞれの両端が二股状に枝分かれして形成されるとともに、この両端が容器支持部７１上の点対称の位置に形成された複数の吊下げ紐係止部７７、７７ａ、７８、７８ａに係止されて吊り下げられるようになっている。このため、実施例７の容器運搬具７０は、実施例５の容器運搬具５０の場合よりも吊り下げ時における円筒状容器の保持性や安定性を向上させることができ、円筒状容器を迅速に運搬することができる。
なお、吊下げ紐７９は、図８（ｂ）に示すように、手持ち部分がそれぞれ独立した２本の紐で形成されているとともに、それぞれの両端が容器支持部７１上の点対称の位置に形成された複数の吊下げ紐係止部７７、７７ａ、７８、７８ａに係止されて吊り下げられるようになっていてもよい。
【００４７】
＜実施例８＞
図９は実施例８の円筒状容器運搬具の斜視図であり、図１０はその断面図である。図９及び図１０において、８０は実施例８の円筒状容器運搬具であり、５個の容器装着部８２〜８６が点対称状に配置されその全体が四角トレイ状の容器支持部８１と、容器支持部８１の外周に左右一対としてそれぞれ上方に立設されて形成された支持部材８７、８７ａと、支持部材８７、８７ａの上端側にそれぞれ設けられた吊下げ紐８９の両端が係止される吊下げ紐係止部８８、８８ａと、を有する。
【００４８】
容器装着部８２〜８６は、図１０に示すように、それぞれが円筒状周壁部Ｅとこの下端に設けられた底部Ｂとを有するような底付円筒状に形成されている。したがって、容器運搬具８０は、円筒状容器Ｃが底付円筒状の容器装着部に保持されるので、容器運搬具上で容器が転倒することなく、また、円筒状容器から内容物が漏れて外壁に付着してもこれが滴下して、衣服やテーブルなどを汚すことがなく、清潔性に優れている。
さらに、縦長の支持部材８７、８７ａを介して、吊下げ紐係止部８８、８８ａが円筒状容器の中心や重心位置より上方に配置されるので、吊下げ紐８９を把持して、円筒状容器運搬具８０を移動させる際の安定性にも優れている。
【００４９】
以上、本考案の実施の形態について説明したが、本考案はこれら実施例１〜８の形態のものに限定されるものではない。すなわち、本考案は、容器支持部の外周に突出して形成された左右一対の吊下げ紐係止部、または容器支持部上の容器支持部の中心を中心とした点対称の位置に配置された吊下げ紐係止部を設けて、容器が保持された容器支持部を安定に支持して、飲料の入った容器を運搬する際に、中身がこぼれ難くしたことを要旨とするものであって、これに該当するものは本考案に属する。
例えば、容器支持部１１の形状は、図１１に示すように、容器Ｃの開口部下方を鉢巻きのように巻回すようにすることもできる。
また、図１２（ａ）（ｂ）に示すように、容器Ｃの開口部上方を鉢巻きのように巻回すようにすることもできる。
本実施の形態では、容器支持部に配置される複数の容器装着部を５個としたが、３個又は７個以上の奇数個に設定することもできる。
また、適用される容器としては紙コップのものに限らず、容器を装着する容器装着部の内径より、上部の最大径が大きくなるプラスチックなどの容器と組み合わせることも可能である。更に、円筒状の容器の運搬にも適用できるものである。
なお、吊下げ紐の形状として、図１３に示すように、手持ち部分にリングを形成させることもでき、本考案の容器運搬具の水平安定が増し持ち運びが便利となる。
【符号の説明】
【００５０】
１０  実施例１の容器運搬具
１１  容器支持部
１２  容器装着部
１３、１４  吊下げ紐係止部
１５  吊下げ紐
２０  実施例２の容器運搬具
２１  容器支持部
２２  容器装着部
２３、２４  吊下げ紐係止部
２５  骨格材
２６  空間
３０  実施例３の容器運搬具
３１  容器支持部
３２  容器装着部
３３  液貯留部
３４、３５  吊下げ紐係止部
４０  実施例４の容器運搬具
４１  容器支持部
４２  容器装着部
４３、４４  吊下げ紐係止部
４５  容器支持部に形成された切れ込み部分
５０  実施例５の容器運搬具
５１  容器支持部
５２〜５６  容器装着部
５７、５８  吊下げ紐係止部
５９  容器支持部周囲を囲む淵部
６０  実施例６の容器運搬具
６１  容器支持部
６２、６３  吊下げ紐係止部
６４、６５  添加物載置部
６６  容器装着部
６７  吊下げ紐
７０  実施例７の容器運搬具
７１  容器支持部
７２〜７６  容器装着部
７７、７７ａ、７８、７８ａ  吊下げ紐係止部
７９  吊下げ紐
８０  実施例８の容器運搬具
８１  容器支持部
８２〜８６  容器装着部
８７、８７ａ  支持部材
８８、８８ａ  吊下げ紐係止部
８９  吊下げ紐
Ｃ  円筒状容器
Ｅ  容器支持部の周壁部
Ｂ  容器支持部の底部
【図１】
0003172713.tif 000003
【図２】
0003172713.tif 000004
【図３】
0003172713.tif 000005
【図４】
0003172713.tif 000006
【図５】
0003172713.tif 000007
【図６】
0003172713.tif 000008
【図７】
0003172713.tif 000009
【図８】
0003172713.tif 000010
【図９】
0003172713.tif 000011
【図１０】
0003172713.tif 000012
【図１１】
0003172713.tif 000013
【図１２】
0003172713.tif 000014
【図１３】
0003172713.tif 000015